(57)【特許請求の範囲】
【請求項１】
縦横比が第１の比の表示画面を備える表示素子と、
前記縦横比が第１の比の表示画面に、縦横比が前記第１の比の画像を表示する第１のモードと、前記縦横比が第１の比の表示画面に、縦横比が、前記第１の比とは異なる第２の比の画像を表示するようにする第２のモードとを切り換えるモード制御手段と、
文字や記号などのキャラクタを重畳した前記画像を前記表示画面に表示する場合に、前記第１のモードおよび前記第２のモードに拘わらず、画像サイズを水平方向および垂直方向の両方向に微小変動させる第１の微小変動手段と、
文字や記号などのキャラクタを重畳しない前記画像を前記表示画面に表示する場合において、前記第２のモードのときに、前記第２の比に応じて、画像サイズを垂直方向または水平方向のいずれか一方向に微小変動させる第２の微小変動手段と、
を備える映像機器。
【請求項２】
請求項１に記載の映像機器において、
前記第２のモードにおいては、前記第２の比の画像を、画像サイズを垂直方向に縮小して、前記表示画面に表示するようにし、
前記第２の微小変動手段は、前記第２の比の画像の画像サイズを垂直方向に微小変動させる
映像機器。
【請求項３】
請求項１に記載の映像機器において、
前記第２のモードにおいては、前記第２の比の画像を、画像の上部または下部に無画部を付加して、前記表示画面に表示するようにし、
前記第２の微小変動手段は、前記第２の比の画像の画像サイズを垂直方向に微小変動させる
映像機器。
【請求項４】
請求項１に記載の映像機器において、
前記第２のモードにおいては、前記第２の比の画像を、画像サイズを水平方向に縮小して、前記表示画面に表示するようにし、
前記第２の微小変動手段は、前記第２の比の画像の画像サイズを水平方向に微小変動させる
映像機器。
【請求項５】
請求項１に記載の映像機器において、
前記第２のモードにおいては、前記第２の比の画像を、画像の左部または右部に無画部を付加して、前記表示画面に表示するようにし、
前記第２の微小変動手段は、前記第２の比の画像の画像サイズを水平方向に微小変動させる
映像機器。
【請求項６】
縦横比が第１の比の表示画面に、縦横比が前記第１の比の画像を表示する第１のモードと、前記縦横比が第１の比の表示画面に、縦横比が、前記第１の比とは異なる第２の比の画像を表示するようにする第２のモードとを切り換えるモード制御工程と、
文字や記号などのキャラクタを重畳した前記画像を前記表示画面に表示する場合に、前記第１のモードおよび前記第２のモードに拘わらず、画像サイズを水平方向および垂直方向の両方向に微小変動させる第１の微小変動工程と、
文字や記号などのキャラクタを重畳しない前記画像を前記表示画面に表示する場合において、前記第２のモードのときに、画像サイズを垂直方向または水平方向のいずれか一方向に微小変動させる第２の微小変動工程と、
を備える映像表示方法。
【発明の詳細な説明】
【０００１】
【発明の属する技術分野】
この発明は、例えば、縦横比４：３の画面の内側に、縦横比が１６：９の画像を表示したり、縦横比１６：９の画面に、縦横比が４：３の画像を表示する場合のように、表示画面の内側に画像領域を形成することができる映像機器や、文字や記号などのキャラクタを画像に重畳して表示する機能を備える映像装置に関し、特に、例えば表示素子の蛍光体の発光特性劣化により生じる画像領域と無画像領域や無画部との境界線や、表示されていた文字や記号を検知し難くさせるものである。
【０００２】
【従来の技術】
現行の受像管（ＣＲＴ；陰極線管）を用いたテレビジョン受像機や映像モニター装置の表示画面の縦横比は、４：３のものと、横長の１６：９のものがある。そして、これらの映像機器の表示画面に表示される画像の情報としては、縦横比が４：３で表示されると、真円度１になる画像（以下、４：３画像という）の情報と、縦横比が１６：９で表示されると、真円度１になる画像（以下、１６：９画像という）の情報とがある。
【０００３】
したがって、画像の縦横比と、映像機器の表示素子の表示画面の縦横比とが異なる組み合わせの場合には、映像信号をそのまま表示したときには、真円度が１ではなくなってしまう。このため、従来から、そのような組み合わせの場合であっても、画像サイズを変更して表示したり、画像に無画部を付加することにより、真円度１の画像を表示することができるようにしている。
【０００４】
例えば、縦横比４：３の画面を有する映像機器において、１６：９画像を表示する場合には、図６に示すように、表示画面の垂直方向の７５％の画像領域Ｐｖのみを電子ビームで偏向走査させるようにして、画像サイズを垂直方向に７５％に縮小して表示することで、真円度１を保つことができ、画像情報を正しく表示することができる。
【０００５】
この場合、電子ビームが偏向走査しない表示画面の上端部および下端部は、蛍光体が発光しない無画像領域Ｎｖとなる。
【０００６】
また、縦横比１６：９の画面を有する映像機器において、４：３画像を表示する場合には、図８に示すように、表示画面の水平方向サイズの７５％の画像領域Ｐｈのみを電子ビームで偏向走査させるようにして、水平方向の画像サイズを７５％に縮小して表示することで、真円度１を保つことができ、画像情報を正しく表示することができる。
【０００７】
この場合、電子ビームが偏向走査しない表示画面の左端部および右端部は、蛍光体が発光しない無画像領域Ｎｈとなる。
【０００８】
また、１６：９画像の上部または下部に、前記無画像領域Ｎｖと同等分の無画部を付加することで、１６：９画像を４：３画像に変換し、偏向による画像サイズの変更を伴うことなく表示することで、真円度１を保つことができ、この場合も正しく画像情報を表示することができる。
【０００９】
また、４：３画像の左部または右部に、前記無画像領域Ｎｈと同等分の無画部を付加することで、４：３画像を１６：９画像に変換し、偏向による画像サイズの変更を伴うことなく表示することで、真円度１を保つことができ、この場合も正しく画像情報を表示することができる。
【００１０】
さらに、例えばテレビジョン放送を受信するテレビジョン受像機等においては、例えば時刻や番組ロゴなどの文字や記号などのキャラクタを、画像に重畳して表示して、観視者に情報を伝達することが広く行われている。
【００１１】
【発明が解決しようとする課題】
ところが、上述の図６または図８のように、画像サイズを縮小して画像表示する期間が長期間に渡ると、受像管の表示画面中の画像領域ＰｖまたはＰｈと無画像領域ＮｖまたはＮｈとの間で、蛍光体の発光特性に差異が生じるため、画像サイズの縮小を解除して画像を表示した場合に、画像サイズ縮小表示時の画像領域ＰｖまたはＰｈと無画像領域ＮｖまたはＮｈとの境界線が、残留して検知されてしまう問題がある。
【００１２】
すなわち、上述の表示態様を受像管についてみると、例えば図６において、１６：９画像の画像領域Ｐｖ内は映像情報に相関して蛍光体が発光するが、無画像領域Ｎｖの蛍光体はまったく発光しないことになる。
【００１３】
一般的に、蛍光体は発光している期間が長くなると、その発光特性が劣化するため、１６：９画像の画像領域Ｐｖの輝度は、無画像領域Ｎｖに比べて暗くなる。
【００１４】
この状態から、縦横比４：３の画面に、４：３画像を表示するように選択した場合、縦横比４：３の画面に１６：９画像を表示したときの画像領域Ｐｖの輝度が、無画像領域Ｎｖに比べて暗くなり、更に、ＲＧＢの蛍光体の発光劣化特性の違いで色度にも差異が生じる。
【００１５】
これにより、１６：９画像の表示時の画像領域Ｐｖと無画像領域Ｎｖとの境界線を観視者に検知させ、まるで４：３画像が、１６：９画像の無画像領域Ｎｖで輝度変調、かつ色度変調されたように映し出されてしまう。このときの画像の垂直位置と蛍光体の発光特性の関係は図７に示すようなものとなる。
【００１６】
図８の場合も同様にして、画像領域Ｐｈと無画像領域Ｎｈとの境界線についての問題がある。
【００１７】
また、長期間に亘って、文字やロゴなどの記号が画像に重畳されて表示された場合、文字や記号等の表示位置と、それ以外の場所で蛍光体の発光特性に差異が生じるため、文字や記号が重畳表示されなくなったときにも、それらの文字や記号の表示跡を観視者が検知できてしまう問題がある。
【００１８】
このような問題に対して、画像の位置を、表示画面上、微小変動させて蛍光体の発光特性劣化部位を分散させ、前記境界線や文字・記号を検知し難くさせる方法がある。しかし、この方法では、コンバージェンス等の画歪補正が追従できず、ＲＧＢの色ずれが起こり、観視者に違和感を与えてしまうおそれがある。
【００１９】
この発明は、以上の点にかんがみて、観視者に違和感を与えることなく、表示素子の蛍光体の発光特性劣化により生じる画像領域と無画像領域との境界線や、文字や記号の表示跡を検知し難くすることを目的とする。
【００２０】
【課題を解決するための手段】
前記課題を解決するため、請求項１の発明においては、
縦横比が第１の比の表示画面を備える表示素子と、
前記縦横比が第１の比の表示画面に、縦横比が前記第１の比の画像を表示する第１のモードと、前記縦横比が第１の比の表示画面に、縦横比が、前記第１の比とは異なる第２の比の画像を表示するようにする第２のモードとを切り換えるモード制御手段と、
文字や記号などのキャラクタを重畳した前記画像を前記表示画面に表示する場合に、前記第１のモードおよび前記第２のモードに拘わらず、画像サイズを水平方向および垂直方向の両方向に微小変動させる第１の微小変動手段と、
文字や記号などのキャラクタを重畳しない前記画像を前記表示画面に表示する場合において、前記第２のモードのときに、前記第２の比に応じて、画像サイズを垂直方向または水平方向のいずれか一方向に微小変動させる第２の微小変動手段と、
を備える映像機器を提供することを特徴とする。
【００２１】
この請求項１の発明によれば、第１の比、例えば４：３の表示画面に画像を表示する場合において、第２のモードのときであって、文字や記号などのキャラクタを重畳しないで、第２の比、例えば１６：９の画像を表示画面に表示するときには、１６：９の画像の画像サイズが微小に垂直方向に変動するようにされるので、例えば表示素子が受像管の場合、画像領域と無画像領域との境界線部分における蛍光体の発光特性劣化部位は、この画像サイズの微小変動により分散され、観視者に違和感を与えることなく、前記境界線を検知し難くさせることができる。
【００２２】
そして、この請求項１の発明によれば、文字や記号などのキャラクタが重畳された画像は、第１モードおよび第２のモードに拘わらず、画像全体についての画像サイズが微小に垂直および水平の両方向に微小変動するようにされるので、例えば表示素子が受像管の場合、文字や記号が表示による発光特性劣化部位が分散され、観視者に違和感を与えることなく、文字や記号等の表示跡を検知し難くさせることができる。
【００２９】
【発明の実施の形態】
以下、この発明による映像機器の実施の形態について、図を参照しながら説明する。図１は、実施の形態の映像機器として、表示素子に受像管を用いたモニター受像機を例にとった場合の構成を示すブロック図である。
【００３０】
そして、この実施の形態は、縦横比４：３の表示画面を備える受像管に、４：３画像を正しく表示する第１のモードと、垂直方向の画像サイズを７５％に縮小して１６：９画像を正しく表示する第２のモードを備えると共に、文字・記号を重畳表示する機能を備える場合である。
【００３１】
図１において、入力端子１に映像信号が供給される。この映像信号は、キャラクタ重畳回路２に供給される。キャラクタ重畳回路２は、後述する制御回路１００からの文字や記号などのキャラクタ表示信号を、映像信号に、例えばスーパーインポーズなどの手法により重畳し、その文字や記号などのキャラクタを重畳した映像信号を出力する。制御回路１００から、キャラクタ表示信号が到来しないときには、キャラクタ重畳回路２からは、入力端子１を通じた映像信号がそのまま出力される。
【００３２】
このキャラクタ重畳回路２からの映像信号は、ＲＧＢ駆動回路３を通じて、カラー受像管４に供給される。このカラー受像管４は、縦横比が４：３が表示画面を備え、偏向ヨーク５により電子ビームが偏向走査されて、蛍光体が発光することにより、その表示画面に画像が映出されるものである。
【００３３】
また、入力端子１に供給された映像信号は、同期分離回路６に供給され、これにより同期信号が分離される。分離されて得られた同期信号は、偏向処理回路７に供給される。偏向処理回路７は、マイクロコンピュータによって構成される制御回路１００からの制御信号を受けて、画像サイズや画像位置等の画歪補正が制御される。この偏向処理回路７からの偏向信号は、偏向駆動回路８を通じて偏向ヨーク５に供給され、これにより電子ビームが蛍光体上を偏向走査して、カラー受像管４の表示画面に画歪補正された良好な映像が表示されるようにされる。
【００３４】
制御回路１００は、ＣＰＵ１０１と、ＲＯＭ１０２と、ＲＡＭ１０３と、キーインタフェース１０４と、Ｉ／Ｏポート１０５および１０６と、例えばＲＯＭからなるキャラクタジェネレータ１０７を備えて構成される。これらＣＰＵ１０１、ＲＯＭ１０２、ＲＡＭ１０３、キーインタフェース１０４、Ｉ／Ｏポート１０５および１０６、キャラクタジェネレータ１０７は、システムバス１０８を介して互いに接続されている。キャラクタジェネレータ１０７は、マイクロコンピュータに外付けの場合もある。
【００３５】
キーインタフェース１０４には、モード切り換えキーや、その他のキーを備える操作キー群１２が接続される。ＣＰＵ１０１は、ＲＯＭ１０２のプログラムに従って、使用者によりいずれのキーが操作されたかを検知し、検知したキーに応じた制御信号を生成する。モード切り換えキーは、縦横比４：３の表示画面に、垂直および水平方向の画像サイズを１００％の状態で画像を表示して縦横比が４：３の画像を表示する第１のモードと、縦横比４：３の表示画面に、表示画像サイズの垂直方向を７５％縮小して、縦横比が１６：９の画像を表示するようにする第２のモードとを切り換えるためのものである。
【００３６】
ＲＯＭ１０２には、また、後述する画像サイズ微小変動処理手段１０がソフトウエアプログラムとして格納されている。さらに、この実施の形態の場合には、ＲＯＭ１０２には、キャラクタジェネレータ１０７からのキャラクタコードから文字・記号などのキャラクタの像を表示するためのキャラクタ表示信号を生成するプログラムも格納されている。生成されたキャラクタ表示信号は、Ｉ／Ｏポート１０５を通じてキャラクタ重畳回路２に供給される。
【００３７】
また、Ｉ／Ｏポート１０６は偏向処理回路７に接続されている。そして、制御回路１００からは、それぞれ操作キー群１２のモード切り換えキーのモード切り換え操作に応じたモード制御信号ＭＳが、Ｉ／Ｏポート１０６を通じて偏向処理回路７に供給される。
【００３８】
モード制御信号ＭＳは、モード切り換え操作により選択されたモードが、第１のモードであるか、第２のモードであるかに応じた画像サイズの制御信号である。つまり、この実施の形態の場合には、垂直方向の偏向幅を、モードに応じて変更する信号である。すなわち、偏向処理回路７は、第１のモードのときには、垂直偏向幅は、表示画面の垂直幅いっぱいとして、垂直方向の画像サイズは１００％とするようにするが、第２のモードのときには、垂直偏向幅は、７５％に縮小して、垂直方向の画像サイズを７５％に縮小させる。水平変更幅は、いずれのモードにおいても１００％である。
【００３９】
なお、このように、第２のモードにおいて、垂直方向の画像サイズを７５％に縮小させるソフトウェアは、例えばＲＯＭ１０２に記憶されているものである。また、ＲＡＭ０３には処理中の値等が記録保存されるものである。
【００４０】
そして、画像サイズ微小変動処理手段１０は、後で詳述するように、第２のモードのときに、真円度が観視者に違和感を与えない程度の画像サイズ微小変動幅Ｗ（図４参照）内において、一定時間ごとに、縦横比が１６：９の画像の画像サイズを、垂直方向に微小変動させるようにするものである。
【００４１】
以上のように構成した図１の装置における第１のモードおよび第２のモードにおける表示動作について、図２のフローチャートについて次に説明する。
【００４２】
まず、ステップＳ１において、操作キー群１２のモード切り換えキーにより、どちらのモードが選択されているかが判別される。第１のモードが選択されている場合には、ステップＳ２に進み、第２のモードが選択されている場合には、ステップＳ１０４に進む。
【００４３】
第１のモードが選択された場合のステップＳ２においては、前述したように、モード制御信号ＭＳにより、偏向処理回路７は、画像サイズを縮小せずに、１００％の状態で表示するように偏向駆動回路８に偏向信号を供給する。この結果、受像管４の縦横比が４：３の表示画面には、縦横比が４：３の画像が表示される。したがって、４：３画像が真円度１で正しく表示される。
【００４４】
そして、モードの変更を監視し（ステップＳ３）、モードが第２のモードに変更されるまで、ステップＳ２の状態を維持し、モード切り換えキーにより第２のモードに変更されたら、ステップＳ４に移行する。
【００４５】
また、第２のモードが選択された場合のステップＳ４においては、モード制御信号ＭＳにより、偏向処理回路７は、垂直偏向幅を、７５％に縮小して、垂直方向の画像サイズを７５％に縮小させるようにする偏向信号を偏向駆動回路８を通じて偏向ヨーク５に供給する。さらに、ステップＳ５に進み、画像サイズの微小変動制御を行う。
【００４６】
そして、モードの変更を監視し（ステップＳ６）、モードが第１のモードに変更されるまで、ステップＳ５の画像サイズの微小変動制御を継続する。そして、モード切り換えキーにより第１のモードに変更されたら、ステップＳ２に移行する。
【００４７】
この結果、受像管４の縦横比が４：３の表示画面には、図４に示すように、縦横比が１６：９の画像が、受像管４の表示画面の上端と下端とに、電子ビームの走査がない無画像領域Ｎｖが形成された状態で表示される。したがって、１６：９画像が、真円度１で正しく表示される。
【００４８】
そして、このとき、画像領域Ｐｖの縦横比が１６：９の画像の画像サイズが、垂直方向に微小変動させられるので、画像領域Ｐｖと無画像領域Ｎｖとの境界線は、画像サイズ微小変動幅Ｗ内において分散される。したがって、第２のモードから第１のモードに変更された場合にも、境界線は検知され難くなる。
【００４９】
図３は、この画像サイズ微小変動処理の一例を説明するための図である。この例は、例えば８ビットカウンタを用いて、７５％に縮小された垂直方向の画像サイズを、さらに、単位時間ごとに所定微小変動値づつ変動させるようにする。すなわち、図３に示すように、この微小変動処理においては、画像領域Ｐｖと無画像領域Ｎｖとの境界線の位置が微小変動幅Ｗだけ変動するように制御する。
【００５０】
図３は、画像領域Ｐｖと無画像領域Ｎｖとの境界線の位置の微小変動の状態を示すもので、画像サイズを微小に大きくする方向に単位時間Δｔごとに微小変動値ΔＤｖづつ順次１２８段階に変化させ、その後、微小に小さくする方向に単位時間Δｔごとに微小変動値ΔＤｖづつ順次１２８段階に変化させて、元の７５％の画像サイズに戻し、その後、さらに微小に小さくする方向に単位時間Δｔごとに微小変動値ΔＤｖづつ順次１２８段階に変化させ、その後、今度は微小に大きくする方向に単位時間Δｔごとに微小変動値ΔＤｖづつ順次１２８段階に変化させて、元の７５％の画像サイズに戻すようにする。以下、これを繰り返す。
【００５１】
すなわち、８ビットカウンタは、単位時間Δｔ（同一の画像サイズを保持する時間に相当）を１周期とするクロックにより、カウント値「０」からカウントアップする。そして、カウント値が「１２８」になったときに、画像サイズの微小変動の方向を変えるようにする。
【００５２】
こうして、図２に示すように、画像サイズ微小変動幅Ｗの中心位置を、７５％の画像サイズの場合として、この変動幅Ｗ内において、微小変動値ΔＤｖづつ微小変動させる。したがって、この場合のΔｔ毎の微小変動値ΔＤｖは、
ΔＤｖ＝Ｗ／２５６
となる。
【００５３】
例えば、表示画面の垂直方向の長さＢを１０００ｍｍとし、画像サイズを微小に最大で±１０ｍｍ変動させる、つまり微小変動幅Ｗ＝２０ｍｍとすると、微小変動値ΔＤｖ＝０．０７８ｍｍとなる。Δｔ＝１５秒とすれば、カウンタにより、微小変動値ΔＤｖ＝０．０７８ｍｍづつ垂直方向の画像サイズが変わり、６４分間周期で元の画像サイズ（７５％）に戻る。
【００５４】
これにより、画像領域Ｐｖと無画像領域Ｎｖの境界線の位置が時間的に変位し、蛍光体の発光特性劣化部位が分散する。したがって、縦横比が１６：９の画像から縦横比が４：３の画像に表示画像が変わっても、画像領域Ｐｖと無画像領域Ｎｖの境界線が検知されにくくなる。このときの、画像の垂直位置と蛍光体の発光特性の関係を図５に示す。
【００５５】
すなわち、従来の図７の場合の発光特性に比べて、蛍光体の発光特性劣化部位が幅Ｗの範囲に分散される。このため、画像領域Ｐｖと無画像領域Ｎｖとの境界線を検知し難くさせることができる。
【００５６】
なお、この例の場合、画像サイズの垂直方向の変動により、１６：９画像の真円度が、０．９９〜１．０１となるが、これは、観視者に違和感を与えるまでは行かない。また、画像サイズの変動は、前述した画像の位置を変動させる場合に比べて、ＲＧＢの色ずれも起こりにくい。
【００５７】
また、図４に示すように、画像サイズを変動させることにより、画像に重畳される文字や記号などのキャラクタの表示位置も変動することになり、これらの文字や記号を非表示にしたときの文字や記号の表示跡を検知しくくすることができる。
【００５８】
なお、上述の実施の形態の場合には、第２のモードのときにだけ、垂直方向の画像サイズを微小変動させるが、文字や記号のキャラクタ表示跡の問題を解決するためには、第１のモードのときにおいても、これらキャラクタ表示を行っているときに、画像サイズを微小に変動させるようにすると良い。
【００５９】
その場合に、第２のモードでは、垂直方向にのみ、画像サイズを微小変動させるが、文字や記号などのキャラクタの表示跡を検知しにくくするためには、垂直方向あるいは水平方向の画像サイズの一方のみを変動させるのではなく、垂直方向と、水平方向の両方向に同時に画像サイズを微小変動させるようにした方が、さらに効果がある。そこで、第１のモードにおいてキャラクタを画像に重畳表示しているときには、垂直方向と、水平方向の両方向に同時に画像サイズを微小変動させるようにする。
【００６０】
［他の実施の形態］
以上の実施の形態は、縦横比が４：３の表示画面の映像機器に、垂直方向の画像サイズを７５％に縮小して、縦横比が１６：９の画像を表示する場合であるので、第２のモードでは垂直方向の画像サイズを微小変動させるようにしたが、この発明は、縦横比が１６：９の表示画面の映像機器に、水平方向の画像サイズを７５％に縮小して縦横比が４：３の画像を表示する場合にも適用することができる。
【００６１】
すなわち、その場合には、縦横比が１６：９の表示画面に、縦横比が１６：９の画像を表示するモードを第１のモードとし、縦横比が１６：９の表示画面に、水平方向の画像サイズを７５％に縮小して縦横比が４：３の画像を表示するモードを第２のモードとし、第２のモードのときには、７５％に縮小された水平方向の画像サイズを、図９に示すように微小変動させるようにする。
【００６２】
これにより、画像領域Ｐｈと無画像領域Ｎｈとの境界線が時間的に変位し、蛍光体の発光特性劣化部位が分散し、前記境界線を検知し難くすることができる。この場合も、第１のモードにおいて、文字や記号などのキャラクタ表示の表示跡の問題を、より効果的に回避するためには、垂直方向と、水平方向の両方向に同時に画像サイズを微小変動させるようにした方が良い。
【００６３】
また、第２のモードとして、縦横比４：３の画面に、１６：９画像の上部または下部に無画部を付加して４：３画像としたものを表示する場合には、その４：３画像の垂直方向の画像サイズを微小変動させることにより、１６：９画像の画像領域と、無画部との境界線を検知し難くすることができる。
【００６４】
同様に、第２のモードとして、縦横比１６：９の画面に、４：３画像の左部または右部に無画部を付加して１６：９画像としたものを表示する場合には、その１６：９画像の水平方向の画像サイズを微小変動させることにより、４：３画像の画像領域と、無画部との境界線を検知し難くすることができる。
【００６５】
なお、以上の実施の形態の説明では、第１のモードと第２のモードとの切り換えは、使用者がキーにより行うようにしたが、入力映像信号に付随して、その画像の縦横比の情報も入力される場合であれば、その画像の縦横比の情報を検出して、第１のモードにするか、第２のモードにするかを自動的に選択するように構成することができる。
【００６６】
なお、上述の実施の形態は、モニター受像機の場合であるが、テレビジョン受像機の場合であっても、この発明は、勿論適用できる。
【００６７】
また、表示素子としては、受像管（ＣＲＴ）に限らず、画像領域と無画像領域や無画部との境界線の問題が生じる表示素子の全てに適用できる。
【００６８】
さらに、この発明は、真円度が１になるように、縦横比が１６：９の表示画面に４：３画像を表示する場合や、縦横比が４：３の表示画面に１６：９画像を表示する場合に限らず、垂直方向や水平方向に画像サイズを縮小して表示するモードを備える映像機器の全てに適用できるものである。
【００６９】
また、文字や記号などのキャラクタの表示跡に関する問題に関しては、表示画面の縦横比と、画像の縦横比が同じである、上述の実施の形態の第１のモードしか持たない映像機器にも適用できることは、言うまでもない。
【００７０】
【発明の効果】
以上説明したように、請求項１の発明によれば、画像サイズを微小に変動することによって、縦横比４：３の画面に、画像サイズを垂直方向に７５％に縮小して１６：９画像を表示しても、それらによる例えば蛍光体の発光特性劣化の位置を分散させることができ、それによって画像領域と無画像領域との境界線が検知されることを抑えることができる。
【００７１】
また、請求項２の発明によれば、第２のモードのときには、画像全体についての画像サイズが微小に垂直方向に変動するようにされるので、例えば表示素子が受像管の場合、１６：９画像領域と無画部との境界線部分における蛍光体の発光特性劣化部位は、この画像サイズの微小変動により分散され、観視者に違和感を与えることなく、前記境界線を検知し難くさせることができる。
【００７２】
また、請求項３の発明によれば、画像サイズを微小に変動することによって、縦横比１６：９の画面に、画像サイズを水平方向に７５％に縮小して４：３画像を表示しても、それらによる例えば蛍光体の発光特性劣化の位置を分散させることができ、それによって画像領域と無画像領域との境界線が検知されることを抑えることができる。
【００７３】
また、請求項４の発明によれば、第２のモードのときには、画像全体についての画像サイズが微小に水平方向に変動するようにされるので、例えば表示素子が受像管の場合、１６：９画像領域と無画部との境界線部分における蛍光体の発光特性劣化部位は、この画像サイズの微小変動により分散され、観視者に違和感を与えることなく、前記境界線を検知し難くさせることができる。
【００７４】
また、画像サイズを微小に変動することにより、表示画面の固定的な位置に重畳される文字や記号などのキャラクタがあっても、それらによる例えば蛍光体の発光特性劣化位置を分散させることができ、それらキャラクタの表示跡を検知されにくくすることができる。
【００７５】
また、従来の画像位置を微小変動させる技術の場合には、コンバージェンス等の画歪補正が追従できず、ＲＧＢの色ずれなどの問題が生じるおそれがあったが、この発明によれば、このような問題を容易に解決することができるものである。
【図面の簡単な説明】
【図１】この発明による映像機器の実施の形態の構成例のブロック図である。
【図２】図１の実施の形態の要部の動作の説明のためのフローチャートである。
【図３】図１の実施の形態の要部の動作の説明のための図である。
【図４】図１の実施の形態による画像表示状態を説明するための図である。
【図５】図４の場合の蛍光体の発光特性を示す図である。
【図６】従来の画像表示状態を説明するための図である。
【図７】図６の場合の蛍光体の発光特性を示す図である。
【図８】従来の画像表示状態の他の例を説明するための図である。
【図９】この発明による他の実施の形態による画像表示状態を説明するための図である。
【符号の説明】
１…映像信号の入力端子、２…スイッチ回路、３…ＲＧＢ駆動回路、４…受像管、５…偏向ヨーク、６…同期分離回路、７…偏向処理回路、８…偏向駆動回路、９…モード切り換えキーを含む操作キー群、１０…画像サイズ微小変動処理手段、１００…制御回路、１０１…ＣＰＵ、１０２…ＲＯＭ、１０３…ＲＡＭ、１０７…キャラクタジェネレータ
【図１】
0004340821.tif 000002
【図２】
0004340821.tif 000003
【図３】
0004340821.tif 000004
【図４】
0004340821.tif 000005
【図５】
0004340821.tif 000006
【図６】
0004340821.tif 000007
【図７】
0004340821.tif 000008
【図８】
0004340821.tif 000009
【図９】
0004340821.tif 000010